(57)【要約】【課題】本発明の目的は、同一エリア内でクラスタの乱立を防ぐことができるノードを提供することにある。【解決手段】ブルートゥース（登録商標）が提供する各クラスタ同士を網目状に接続するネットワークのクラスタ同士が網目状に接続する内の複数のクラスタの各々が接続し、該各々のクラスタ間のパケットを経路管理手段に照らして転送する第１手段Ｓｗと、第１手段Ｓｗに接続するクラスタの内の第１クラスタを構築する第２手段Ｍと、第１手段Ｓｗに接続するクラスタの内の第２クラスタに参加する第３手段Ｓと、第１手段Ｓｗに接続する第１クラスタを構築し及び第２クラスタに参加してネットワークを構築する第１状態１ａと、第１手段Ｓｗに接続する第１クラスタを構築せず及び複数の第２クラスタに参加してネットワークを構築する第２状態３間で状態遷移させる第４手段と、を備えることを特徴とする。【選択図】図１
2016225994.tif 000002
【特許請求の範囲】
【請求項１】
ブルートゥース（登録商標）が提供する各クラスタ同士を網目状に接続するネットワークの前記クラスタ同士が網目状に接続する内の複数の前記クラスタの各々が接続し、該各々の前記クラスタ間のパケットを経路管理手段に照らして転送する第１手段（Ｓｗ）と、
前記第１手段（Ｓｗ）に接続する前記クラスタの内の第１クラスタを構築する第２手段（Ｍ）と、
前記第１手段（Ｓｗ）に接続する前記クラスタの内の第２クラスタに参加する第３手段（Ｓ）と、
前記第１手段（Ｓｗ）に接続する前記第１クラスタを構築し及び前記第２クラスタに参加して前記ネットワークを構築する第１状態（１ａ）と、前記第１手段（Ｓｗ）に接続する前記第１クラスタを構築せず及び複数の前記第２クラスタに参加して前記ネットワークを構築する第２状態（３）間で状態遷移させる第４手段と、を備えることを特徴とするノード（１）。
【請求項２】
ノード（１）の、
ブルートゥース（登録商標）が提供する各クラスタ同士を網目状に接続するネットワークの前記クラスタ同士が網目状に接続する内の複数の前記クラスタの各々が接続し、該各々の前記クラスタ間のパケットを経路管理手段に照らして転送する第１手段（Ｓｗ）と、
前記第１手段（Ｓｗ）に接続する前記クラスタの内の第１クラスタを構築する第２手段（Ｍ）と、
前記第１手段（Ｓｗ）に接続する前記クラスタの内の第２クラスタに参加する第３手段（Ｓ）と、
前記第１手段（Ｓｗ）に接続する前記第１クラスタを構築し及び前記第２クラスタに参加して前記ネットワークを構築する第１状態（１ａ）と、前記第１手段（Ｓｗ）に接続する前記第１クラスタを構築せず及び複数の前記第２クラスタに参加して前記ネットワークを構築する第２状態（３）間で状態遷移させる第４手段と、を備えることを特徴とする通信用集積回路。
【請求項３】
コンピュータを、
ブルートゥース（登録商標）が提供する各クラスタ同士を網目状に接続するネットワークの前記クラスタ同士が網目状に接続する内の複数の前記クラスタの各々が接続し、該各々の前記クラスタ間のパケットを経路管理手段に照らして転送する第１手段（Ｓｗ）と、
前記第１手段（Ｓｗ）に接続する前記クラスタの内の第１クラスタを構築する第２手段（Ｍ）と、
前記第１手段（Ｓｗ）に接続する前記クラスタの内の第２クラスタに参加する第３手段（Ｓ）と、を備えるノード（１）の、
前記第１手段（Ｓｗ）に接続する前記第１クラスタを構築し及び前記第２クラスタに参加して前記ネットワークを構築する第１状態（１ａ）と、前記第１手段（Ｓｗ）に接続する前記第１クラスタを構築せず及び複数の前記第２クラスタに参加して前記ネットワークを構築する第２状態（３）間で状態遷移させる第４手段として機能させるための制御プログラム。
【発明の詳細な説明】
【技術分野】
【０００１】
本発明は、ノード、通信用集積回路または制御プログラムに関する。
【背景技術】
【０００２】
従来、スキャタネット方法が知られる。例えば、特開２００３−５１６０９５号公報に記載の技術は、スキャタネットにおけるピコネット間通信をスケジュールするシステムと方法とが開示され、第１のネットワークノードは容量割当てメッセージを第２のネットワークノードに送信し、そのメッセージは第２の端末から要求された容量を表すパラメータと第１の端末における利用可能な容量の表記とを含み、第２の端末はマッチング機能を実行して第１の端末との通信セションに割当て可能な相互に受け入れ可能な利用可能な容量があるかどうかを判断する技術が開示されている。
【先行技術文献】
【特許文献】
【０００３】
【特許文献１】特開２００３−５１６０９５号公報
【発明の概要】
【発明が解決しようとする課題】
【０００４】
ところで、従来のスキャタネット方法は、三つのピコネットに参加するスレーブを備えたＢＴユニットが登場するが、スレーブ自体には経路管理ができるＢＴパケットのスイッチ機能が無いため、各スレーブが他のスレーブにＢＴパケットを転送すると、スキャッタネット上を同じＢＴパケットが輻輳する原因となってしまうと言った問題があった。
【０００５】
そこで、本発明の目的は、三つのピコネットに参加するスレーブでなるＢＴユニットに、経路管理ができるＢＴパケットのスイッチ機能を提供することができるノード、通信用集積回路または制御プログラムを提供することにある。
【課題を解決するための手段】
【０００６】
上記課題を解決するため本発明のノードは、ブルートゥース（登録商標）が提供する各クラスタ同士を網目状に接続するネットワークの前記クラスタ同士が網目状に接続する内の複数の前記クラスタの各々が接続し、該各々の前記クラスタ間のパケットを経路管理手段に照らして転送する第１手段（Ｓｗ）と、前記第１手段（Ｓｗ）に接続する前記クラスタの内の第１クラスタを構築する第２手段（Ｍ）と、前記第１手段（Ｓｗ）に接続する前記クラスタの内の第２クラスタに参加する第３手段（Ｓ）と、前記第１手段（Ｓｗ）に接続する前記第１クラスタを構築し及び前記第２クラスタに参加して前記ネットワークを構築する第１状態（１ａ）と、前記第１手段（Ｓｗ）に接続する前記第１クラスタを構築せず及び複数の前記第２クラスタに参加して前記ネットワークを構築する第２状態（３）間で状態遷移させる第４手段と、を備えることを特徴とする。
【発明の効果】
【０００７】
本発明によれば、請求項１〜３は、ブルートゥース（登録商標）が提供する各クラスタ同士を網目状に接続するネットワークを構築するノードが、クラスタを構築する状態から、クラスタを構築しない状態に遷移可能なため、同一エリア内でクラスタの乱立を防ぐことができる。
また、三つのピコネットに参加するスレーブでなるＢＴユニットに、経路管理ができるＢＴパケットのスイッチ機能を提供することができる。
【図面の簡単な説明】
【０００８】
【図１】実施形態のスキャタネットの構成図の一例である。
【発明を実施するための形態】
【０００９】
以下、本発明の実施の一形態について詳細に説明する。
【００１０】
図１は実施形態のスキャタネットの構成図の一例である。例えば、スキャタネットは、ピコネット（図１の点線内）を構築するＢＴ（ブルートゥース：登録商標）のマスタＭ、ピコネットに参加する少なくとも１つ以上のＢＴのスレーブＳ、ＢＴパケットを送受信する図示させていない情報処理部、および各ポートがマスタＭとスレーブＳと情報処理部に繋がり、ＢＴパケットを受信して他のポートへ転送するスイッチ部Ｓｗを備えるＢＴユニット１と、スレーブＳを備え、該スレーブＳを介してＢＴパケットを送受信するＢＴユニット１に接続する周辺機器をなすＢＴユニット２と、スレーブＳを備え、該スレーブＳを介してＢＴパケットを送受信するスキャタネットの端末をなすＢＴユニット３と、から構成され、ＢＴユニット１が複数存在し、１つのピコネットに少なくとも１つ以上のスレーブＳが参加可能であり、ＢＴユニット１のスレーブＳが他のＢＴユニット１のマスタＭが構築したピコネットに参加してピコネット内通信を行うことで、ピコネット同士が網目構造に接続されたスキャタネットを構築し、ＢＴユニット２、３のスレーブＳが何れか１つのピコネットに参加してピコネット内通信を行いピコネット内で複数のＢＴユニット１〜３が共存する。また、三つのスレーブＳと一つのスイッチ部Ｓｗで構成されるＢＴユニット３を設けてもよい。
【００１１】
ＢＴユニット１〜３などの装置は、ＣＰＵ、ＲＯＭ、ＲＡＭなどを有するコンピュータ部を備えている。ＢＴユニット１のマスタＭとスレーブＳは、無線送受信部を共有している。
【００１２】
スイッチ部Ｓｗは、Ｌ３スイッチを構成し、二つ又は三つのピコネットの経路管理をすべて行うＦＤＢ（Forwarding DataBase）などを備え、各ポートから受信したＢＴパケットを夫々のＦＤＢなどに照らして他のポートへ転送することとなる。また、二つ又は三つのピコネットの中継点を構成し、該ピコネットから受信した各ＢＴパケットをＦＤＢなどに照らして、転送先となるＢＴユニット１、３を判定し、該ＢＴユニット１、３を該ＢＴパケットの転送先に指定して該ＢＴユニット１、３側のポートに転送し、ＢＴパケットの転送を受けたマスタＭまたはスレーブＳがＢＴパケットを該ＢＴユニット１、３に送信することとなる。
【００１３】
ＢＴユニット１は、自己の識別情報などをピコネット識別情報とし、該ピコネット識別情報および自己のスレーブＳが参加したピコネットのピコネット識別情報を含むビーコンを自己のマスタＭから他のＢＴユニット１などに向けてブロードキャスト送信させるとともに、他のＢＴユニット１から受信したビーコンを基に自己のスレーブＳを参加させるピコネットを選んでそこに参加させて、自己を含む３つのＢＴユニット１の環が他の環と連環する様に制御する。
【００１４】
具体的には、ＢＴユニット１ａの場合に、受信したビーコンを基に一方のスレーブＳが、自己を含む３つのＢＴユニット１の環が他の環と連環をなす条件に該当するＢＴユニット１ｂが構築したピコネットを選んで参加し、自己を含む３つのＢＴユニット１ａ、１ｂ、１ｃを連環させるとともに、受信したビーコンを基に他方のスレーブＳが自己を含む３つのＢＴユニット１が、連環をなす条件に該当するＢＴユニット１ｄが構築したピコネットを選んで参加し、自己を含む３つのＢＴユニット１ａ、１ｂ、１ｄを連環させることとなる。ここで、ＢＴユニット１は、自己を含む３つのＢＴユニット１が連環を構成する適当なピコネットが見当たらない場合に、自己が接続していない他のＢＴユニット１が構築した任意のピコネットを見付けてそこに参加することとなる。
【００１５】
上記実施形態において、スキャタネットは、ＢＴユニット１において、自己が構築したピコネットと自己が参加した他のピコネットの識別情報を他のＢＴユニット１に通知する手段と、該他のＢＴユニット１から識別情報を取得し自己を含む３つのＢＴユニット１の環が他の環と連環させる様に自己が他のピコネットに参加する手段を備えることを特徴としてもよい。また、ＢＴユニット１〜３がマスタＭ、スイッチ部Ｓｗ、スレーブＳなどを備えた通信用集積回路を備え、該通信用集積回路によりマスタＭ、スイッチ部Ｓｗ、スレーブＳなどが制御されてＢＴユニット１〜３を実現する構成としてもよい。また、同一エリア内でピコネットの乱立を防ぐために、各ＢＴユニット１が同一エリア内のピコネットの数に応じて、ＢＴユニット３として機能するようにしてもよい。
【００１６】
以上の説明においては、通信制御プログラムを含む各種制御プログラムが、予めＲＯＭに格納されている場合について説明したが、制御プログラムを、コンピュータ部で読取可能な記憶媒体に記録するようにしてもよい。このような構成であれば、コンピュータ部によってプログラムが記憶媒体から読み取られ、読み取られたプログラムに従ってコンピュータ部が処理を実行すると、上記実施形態の各装置と同等の作用および効果が得られる。
【００１７】
ここで、記憶媒体とは、ＲＡＭ、ＲＯＭ等の半導体記憶媒体、ＦＤ、ＨＤＤ等の磁気記憶型記憶媒体、ＣＤ、ＤＶＤ、ＢＤ等の光学的読取方式記憶媒体、ＭＯ等の磁気記憶型／光学的読取方式記憶媒体であって、電子的、磁気的、光学的等の読み取り方法のいかんにかかわらず、コンピュータ部で読み取り可能な記憶媒体であれば、どのような記憶媒体であってもよい。
【００１８】
また、インターネット、ＬＡＮ等のネットワークシステムを介して制御プログラムをダウンロードし、インストールして実行するように構成することも可能である。
【符号の説明】
【００１９】
１〜３…ＢＴユニット，Ｍ…マスタ，Ｓ…スレーブ，Ｓｗ…スイッチ部
【図１】
2016225994.tif 000003
【手続補正書】
【提出日】平成28年7月9日(2016.7.9)
【手続補正１】
【補正対象書類名】特許請求の範囲
【補正対象項目名】全文
【補正方法】変更
【補正の内容】
【特許請求の範囲】
【請求項１】
第１手段（情報処理部）と、
各ブルートゥース（登録商標）・クラスタ（以降、クラスタと称する）同士を網目状に接続する網状ネットワークの前記クラスタ同士が網目状に接続する内の複数の前記クラスタと、前記第１手段と、の各々が接続し、該各々間のパケットを経路管理手段に照らして転送する第２手段（Ｓｗ）と、
前記第２手段（Ｓｗ）に接続する前記クラスタの内の第１クラスタを構築する第３手段（Ｍ）と、
前記第２手段（Ｓｗ）に接続する前記クラスタの内の第２クラスタに参加する第４手段（Ｓ）と、
前記第１クラスタを構築し及び前記第２クラスタに参加して前記第２手段（Ｓｗ）が前記網状ネットワークを構成する第１状態（１ａ）と、前記第１クラスタを構築せず及び複数の前記第２クラスタに参加して前記第２手段（Ｓｗ）が前記網状ネットワークを構成する第２状態（３）間で状態遷移させる第５手段と、を備えることを特徴とするノード（１）。
【請求項２】
第１手段（情報処理部）を備えるノード（１）の、
各ブルートゥース（登録商標）・クラスタ（以降、クラスタと称する）同士を網目状に接続する網状ネットワークの前記クラスタ同士が網目状に接続する内の複数の前記クラスタと、前記第１手段と、の各々が接続し、該各々間のパケットを経路管理手段に照らして転送する第２手段（Ｓｗ）と、
前記第２手段（Ｓｗ）に接続する前記クラスタの内の第１クラスタを構築する第３手段（Ｍ）と、
前記第２手段（Ｓｗ）に接続する前記クラスタの内の第２クラスタに参加する第４手段（Ｓ）と、
前記第１クラスタを構築し及び前記第２クラスタに参加して前記第２手段（Ｓｗ）が前記網状ネットワークを構成する第１状態（１ａ）と、前記第１クラスタを構築せず及び複数の前記第２クラスタに参加して前記第２手段（Ｓｗ）が前記網状ネットワークを構成する第２状態（３）間で状態遷移させる第５手段と、を備えることを特徴とする通信用集積回路。
【請求項３】
コンピュータを、
第１手段（情報処理部）と、
各ブルートゥース（登録商標）・クラスタ（以降、クラスタと称する）同士を網目状に接続する網状ネットワークの前記クラスタ同士が網目状に接続する内の複数の前記クラスタと、前記第１手段と、の各々が接続し、該各々間のパケットを経路管理手段に照らして転送する第２手段（Ｓｗ）と、
前記第２手段（Ｓｗ）に接続する前記クラスタの内の第１クラスタを構築する第３手段（Ｍ）と、
前記第２手段（Ｓｗ）に接続する前記クラスタの内の第２クラスタに参加する第４手段（Ｓ）と、を備えるノード（１）の、
前記第１クラスタを構築し及び前記第２クラスタに参加して前記第２手段（Ｓｗ）が前記網状ネットワークを構成する第１状態（１ａ）と、前記第１クラスタを構築せず及び複数の前記第２クラスタに参加して前記第２手段（Ｓｗ）が前記網状ネットワークを構成する第２状態（３）間で状態遷移させる第５手段として機能させるための制御プログラム。
【手続補正２】
【補正対象書類名】明細書
【補正対象項目名】０００６
【補正方法】変更
【補正の内容】
【０００６】
上記課題を解決するため本発明のノードは、第１手段（情報処理部）と、各ブルートゥース（登録商標）・クラスタ（以降、クラスタと称する）同士を網目状に接続する網状ネットワークの前記クラスタ同士が網目状に接続する内の複数の前記クラスタと、前記第１手段と、の各々が接続し、該各々間のパケットを経路管理手段に照らして転送する第２手段（Ｓｗ）と、前記第２手段（Ｓｗ）に接続する前記クラスタの内の第１クラスタを構築する第３手段（Ｍ）と、前記第２手段（Ｓｗ）に接続する前記クラスタの内の第２クラスタに参加する第４手段（Ｓ）と、前記第１クラスタを構築し及び前記第２クラスタに参加して前記第２手段（Ｓｗ）が前記網状ネットワークを構成する第１状態（１ａ）と、前記第１クラスタを構築せず及び複数の前記第２クラスタに参加して前記第２手段（Ｓｗ）が前記網状ネットワークを構成する第２状態（３）間で状態遷移させる第５手段と、を備えることを特徴とする。
【手続補正３】
【補正対象書類名】明細書
【補正対象項目名】０００７
【補正方法】変更
【補正の内容】
【０００７】
本発明によれば、請求項１〜３は、  各ブルートゥース（登録商標）・クラスタ（以降、クラスタと称する）同士を網目状に接続する網状ネットワークを構築するノードが、クラスタを構築する状態から、クラスタを構築しない状態に状態遷移可能なため、同一エリア内でクラスタの乱立を防ぐことができる。
また、三つのピコネットに参加するスレーブでなるＢＴユニットに、経路管理ができるＢＴパケットのスイッチ機能を提供することができる。
【手続補正書】
【提出日】平成28年9月22日(2016.9.22)
【手続補正１】
【補正対象書類名】特許請求の範囲
【補正対象項目名】全文
【補正方法】変更
【補正の内容】
【特許請求の範囲】
【請求項１】
ブルートゥース（登録商標）の各クラスタ同士を網目状に接続する網目状ネットワークの前記クラスタの内の第１クラスタを構築するマスタ（Ｍ）及び第２クラスタに参加するスレーブ（Ｓ）を構成する手段（Ｍ、Ｓ）を備え、
前記手段（Ｍ、Ｓ）を、前記第１クラスタを構築し前記第２クラスタに参加する第１状態（１ａ）から、前記第１クラスタを構築せずに複数の前記第２クラスタに参加する第２状態（３）に切り替えることを特徴とする前記網目状ネットワークのノード（１）。
【手続補正２】
【補正対象書類名】明細書
【補正対象項目名】０００６
【補正方法】変更
【補正の内容】
【０００６】
上記課題を解決するため本発明のノード（１）は、ブルートゥース（登録商標）の各クラスタ同士を網目状に接続する網目状ネットワークの前記クラスタの内の第１クラスタを構築するマスタ（Ｍ）及び第２クラスタに参加するスレーブ（Ｓ）を構成する手段（Ｍ、Ｓ）を備え、前記手段（Ｍ、Ｓ）を、前記第１クラスタを構築し前記第２クラスタに参加する第１状態（１ａ）から、前記第１クラスタを構築せずに複数の前記第２クラスタに参加する第２状態（３）に切り替えることを特徴とする。
【手続補正３】
【補正対象書類名】明細書
【補正対象項目名】０００４
【補正方法】変更
【補正の内容】
【０００４】
ところで、従来のスキャタネット方法は、ノードが各クラスタ（ピコネット）同士を網目状に接続する網目状ネットワークの中で、同一エリア内でクラスタの乱立を防ぐことができない言った問題があった。
【手続補正４】
【補正対象書類名】明細書
【補正対象項目名】０００５
【補正方法】変更
【補正の内容】
【０００５】
そこで、本発明の目的は、各クラスタ（ピコネット）同士を網目状に接続する網目状ネットワークの中で、同一エリア内でクラスタの乱立を防ぐことができるノードを提供することにある。
【手続補正５】
【補正対象書類名】明細書
【補正対象項目名】０００７
【補正方法】変更
【補正の内容】
【０００７】
本発明によれば、ノードは、各クラスタ（ピコネット）同士を網目状に接続する網目状ネットワークの中で、同一エリア内でクラスタの乱立を防ぐことができる。
【手続補正７】
【補正対象書類名】明細書
【補正対象項目名】０００１
【補正方法】変更
【補正の内容】
【０００１】
本発明は、ノードに関する。
【手続補正８】
【補正対象書類名】明細書
【補正対象項目名】００１２
【補正方法】変更
【補正の内容】
【００１２】
スイッチ部Ｓｗは、Ｌ３スイッチを構成し、二つ又は三つのピコネットの中継点を構成し、該ピコネットの経路管理をすべて行うＦＤＢ（Forwarding DataBase）などを備え、各ポートから受信したＢＴパケットをＦＤＢなどに照らして他のポートへ転送することとなる。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
各ブルートゥース・クラスタ同士を網目状に接続する網目状ブルートゥース・ネットワークの前記ブルートゥース・クラスタの内の第１ブルートゥース・クラスタを構築する第１モードと、前記第１ブルートゥース・クラスタを構築せずに、前記ブルートゥース・クラスタの内の複数の第２ブルートゥース・クラスタに参加する第２モードの何れかを、同一エリア内の前記ブルートゥース・クラスタの乱立の有無を判定して提供することを特徴とする前記網目状ブルートゥース・ネットワークのノード。
【請求項２】
請求項１に記載のノードを構成することを特徴とする集積回路。
【請求項２】
コンピュータを、請求項１に記載のノードとして機能させるための制御プログラム。
【手続補正２】
【補正対象書類名】明細書
【補正対象項目名】０００６
【補正方法】変更
【補正の内容】
【０００６】
上記課題を解決するため本発明のノードは、各ブルートゥース・クラスタ同士を網目状に接続する網目状ブルートゥース・ネットワークの前記ブルートゥース・クラスタの内の第１ブルートゥース・クラスタを構築する第１モードと、前記第１ブルートゥース・クラスタを構築せずに、前記ブルートゥース・クラスタの内の複数の第２ブルートゥース・クラスタに参加する第２モードの何れかを、同一エリア内の前記ブルートゥース・クラスタの乱立の有無を判定して提供することを特徴とする。
【手続補正３】
【補正対象書類名】明細書
【補正対象項目名】０００４
【補正方法】変更
【補正の内容】
【０００４】
ところで、従来のスキャタネット方法は、ノードが各ピコネット同士を網目状に接続する網目状ブルートゥース・ネットワークの中で、同一エリア内でピコネットの乱立を防ぐことができない言った問題があった。
【手続補正４】
【補正対象書類名】明細書
【補正対象項目名】０００５
【補正方法】変更
【補正の内容】
【０００５】
そこで、本発明の目的は、各ブルートゥース・クラスタ（ピコネット）同士を網目状に接続する網目状ブルートゥース・ネットワークの中で、同一エリア内でブルートゥース・クラスタの乱立を防ぐことができるノードを提供することにある。
【手続補正５】
【補正対象書類名】明細書
【補正対象項目名】０００７
【補正方法】変更
【補正の内容】
【０００７】
本発明によれば、ノードは、各ブルートゥース・クラスタ同士を網目状に接続する網目状ブルートゥース・ネットワークの中で、同一エリア内でブルートゥース・クラスタの乱立を防ぐことができる。
【手続補正書】
【提出日】平成28年11月11日(2016.11.11)
【手続補正１】
【補正対象書類名】明細書
【補正対象項目名】００１２
【補正方法】変更
【補正の内容】
【００１２】
スイッチ部Ｓｗは、Ｌ３スイッチを構成し、二つ又は三つのピコネットの経路管理をすべて行うＦＤＢ（Forwarding DataBase）などを備え、各ポートから受信したＢＴパケットを夫々のＦＤＢなどに照らして他のポートへ転送することとなる。また、二つ又は三つのピコネットの中継点を構成し、該ピコネットから受信した各ＢＴパケットをＦＤＢなどに照らして、転送先となるＢＴユニット１、３を判定し、該ＢＴユニット１、３を該ＢＴパケットの転送先に指定して該ＢＴユニット１、３側のポートに転送し、ＢＴパケットの転送を受けたマスタＭまたはスレーブＳがＢＴパケットを該ＢＴユニット１、３に送信することとなる。
【手続補正書】
【提出日】平成28年11月11日(2016.11.11)
【手続補正１】
【補正対象書類名】特許請求の範囲
【補正対象項目名】全文
【補正方法】変更
【補正の内容】
【特許請求の範囲】
【請求項１】
各ブルートゥース・クラスタ同士を網目状に接続する網目状ブルートゥース・ネットワークの前記ブルートゥース・クラスタの内の第１ブルートゥース・クラスタを構築する第１状態から、前記第１ブルートゥース・クラスタを構築せずに、前記ブルートゥース・クラスタの内の複数の第２ブルートゥース・クラスタに参加する第２状態に、同一エリア内の前記ブルートゥース・クラスタの数に応じて移行することを特徴とする前記網目状ブルートゥース・ネットワークのノード。
【請求項２】
請求項１に記載のノードを構成することを特徴とする集積回路。
【請求項３】
コンピュータを、請求項１に記載のノードとして機能させるための制御プログラム。
【手続補正２】
【補正対象書類名】明細書
【補正対象項目名】０００６
【補正方法】変更
【補正の内容】
【０００６】
上記課題を解決するため本発明のノードは、各ブルートゥース・クラスタ同士を網目状に接続する網目状ブルートゥース・ネットワークの前記ブルートゥース・クラスタの内の第１ブルートゥース・クラスタを構築する第１状態から、前記第１ブルートゥース・クラスタを構築せずに、前記ブルートゥース・クラスタの内の複数の第２ブルートゥース・クラスタに参加する第２状態に、同一エリア内の前記ブルートゥース・クラスタの数に応じて移行することを特徴とする。